(57)【要約】【課題】本発明は、使用者が、TTS システムで構成されたコミュニケーション可能な装置を個人化し、入力テキストメッセージを出力オーデオメッセージに変換することを可能にすることにある。【解決手段】本発明はコミュニケーション可能なデバイスに使用されるテキスト音声変換システム（TTS）と適用手段とを有する半導体チップおよびそれを保持するコミュニケーション可能な装置に関する。TTSシステムは入力テキストメッセージを出力オーデオメッセージに変換し、出力オーデオメッセージは音声パラメータセットで設定された特性を有する。当該半導体チップは、又、音声パラメータセットが記録された第１メモリをすくなくとも有する。音声パラメータセットの任意の１つはテキストメッセージが受信された際、使用のため能動音声パラメータとして選択することができる。【選択図】図１
2007504519.tif 000002
【特許請求の範囲】
【請求項１】
入力テキスト信号を、能動音声パラーメータセットによって定義される特性を有する出力オーデオ信号に変換するテキスト音声システム（TTS）と、
該TTSシステムに接続され、該能動音声パラメータセットを該TTSシステムに提供する適用手段とを有することを特徴とする半導体チップ。
【請求項２】
該適用手段に接続され、あらかじめ設定された第１音声パラメータセットを記録する第１メモリをさらに有することを特徴とする請求項第１項記載の半導体チップ。
【請求項３】
該能動音声パラメータセットは、該第１音声パラメータセットからなる請求項第２項記載の半導体チップ。
【請求項４】
該第１メモリは複数の第１音声パラメータセットを記録する請求項第２項記載の半導体チップ。
【請求項５】
該能動音声パラメータセットは、複数の該第１音声パラメータセットの１つからなる請求項第４項記載の半導体チップ。
【請求項６】
使用者が複数の該第１音声パラメータセットの１つを該能動音声パラメータセットとして選択することを特徴とする請求項第５項記載の半導体チップ。
【請求項７】
適用手段に接続される第２メモリと、第２メモリに接続される取り込み手段をさらに有することを特徴とする請求項第１、第２又は第４項記載の半導体チップ。
【請求項８】
第２音声パラメータセットが該取り込み手段に入力され、該取り込み手段は、該第２音声パラメータセットを該第２メモリに記録することを特徴とする請求項第７項記載の半導体チップ。
【請求項９】
該取り込み手段は、該第２音声パラメータセットが該第２メモリに記録される前に該第２音声パラメータセットをフォーマット化することを特徴とする請求項第８項記載の半導体チップ。
【請求項１０】
該能動音声パラメータセットは該第２音声パラメータセットを有することを特徴とする請求項第８又は第９項記載の半導体チップ。
【請求項１１】
該第２メモリは複数の第２音声パラメータセットを記録することを特徴とする請求項第８乃至第１０項記載の半導体チップ。
【請求項１２】
該能動音声パラメータセットは最新に受信した第２音声パラメータセットであることを特徴とする請求項第１１項記載の半導体チップ。
【請求項１３】
該能動音声パラメータセットは該第１または第２音声パラメータセットの１つであることを特徴とする請求項第８項乃至第１２項記載の半導体チップ。
【請求項１４】
使用者は、該第１または第２音声パラメータセットの１つを該能動音声パラメータセットとして選択することを特徴とする請求項第１３項記載の半導体チップ。
【請求項１５】
入力テキスト信号の１つの型は該第１または第２音声パラメータセットの１つとして関連つけられ、かつ該入力テキスト信号の１つの型が該TTSシステムによって受信されたとき、該能動音声パラメータセットは該関連した音声パラメータセットから構成されることを特徴とする請求項第８乃至１４項記載の半導体チップ。
【請求項１６】
使用者は、該第１または第２音声パラメータセットの１つを該入力テキスト信号の型と関連つけることを特徴とする請求項第１５項記載の半導体チップ。
【請求項１７】
該入力テキスト信号の型は、ショートメッセージサービス（SMS）入力テキスト信号であることを特徴とする請求項第１５項又は第１６項記載の半導体チップ。
【請求項１８】
該入力テキスト信号の型は、電子メール入力テキスト信号であることを特徴とする請求項第１５項又は第１６項記載の半導体チップ。
【請求項１９】
該入力テキスト信号の型は、ウェブページ入力テキスト信号であることを特徴とする請求項第１５項又は１６項記載の半導体チップ。
【請求項２０】
該最適手段に接続され、少なくとも１つの認識特性を記録する第３メモリをさらに有し、該該第１または第２音声パラメータセットの１つは、該認識特性に割り当てられ、該能動音声パラメータセットは、該入力テキスト信号が該認識特性を構成する際、該割付けられた音声パラメータを構成することを特徴とする請求項第８項乃至１９項記載の半導体チップ。
【請求項２１】
使用者は、該第１または第２音声パラメータセットの１つを該認識特性に割り付けることを特徴とする請求項第２０項記載の半導体チップ。
【請求項２２】
該認識特性は入力テキスト信号のアドレスであることを特徴とする請求項第２０項又は第２１項記載の半導体チップ。
【請求項２３】
該第１または第２音声パラメータセットの１つは、該入力テキスト信号が該TTSシステムによって受信される前に、該入力テキスト信号とリンクされ、該能動音声パラメータセットは該リンクした音声パラメータセットから構成されることを特徴とする請求項第１項乃至第２０項記載の半導体チップ。
【請求項２４】
該第１または第２音声パラメータセットの１つは、該入力テキスト信号が該TTSシステムによって受信される前に、該入力テキスト信号に付随しており、該能動音声パラメータセットは該付随した音声パラメータセットから構成されることを特徴とする請求項第１項乃至第２０項記載の半導体チップ。
【請求項２５】
第１または第２音声パラメータセットの１つは、出力テキスト信号にリンクされ、該能動音声パラメータセットは、該リンクした音声パラメータセットから構成されることを特徴とする請求項第１項乃至第２４項記載の半導体チップ。
【請求項２６】
使用者は、該該第１または第２音声パラメータセットの１つを該出力テキスト信号にリンクすることを特徴とする請求項第２５項記載の半導体チップ。
【請求項２７】
該第１または第２音声パラメータセットの１つは、出力テキスト信号に付随され、該能動音声パラメータセットは、該付随した音声パラメータセットから構成されることを特徴とする請求項第１項乃至第２４項記載の半導体チップ。
【請求項２８】
使用者は、該第１または第２音声パラメータセットの１つを該出力テキスト信号に付随させることを特徴とする請求項第２７項記載の半導体チップ。
【請求項２９】
該第１、第２メモリは不揮発性メモリであることを特徴とする請求項第１項乃至第２８項記載の半導体チップ。
【請求項３０】
該第１、第２メモリは１つのメモリであることを特徴とする請求項第１項乃至第２９項記載の半導体チップ。
【請求項３１】
該第２音声パラメータセットが該第２メモリから削除されることを特徴とする請求項第１項乃至第３０項記載の半導体チップ。
【請求項３２】
請求項第１項乃至第３１項記載の半導体チップと、
該TTSシステムの該入力とに接続される入力手段と、
該TTSシステムの該出力に接続される出力手段とからなることを特徴とするコミュニケーション可能なデバイス。
【請求項３３】
該半導体チップに接続される出力テキスト手段をさらに有し、該入力テキスト信号は該出力オーデオ信号および出力テキスト信号に変換されることを特徴とする請求項第３２項記載のコミュニケーション可能なデバイス。
【請求項３４】
該コミュニケーション可能なデバイスは携帯型該コミュニケーション可能なデバイスであることを特徴とする請求項第３２項又は第３３項記載のコミュニケーション可能なデバイス。
【請求項３５】
該携帯型コミュニケーション可能なデバイスは携帯型電話であることを特徴とする請求項第３４項記載のコミュニケーション可能なデバイス。
【請求項３６】
該携帯型コミュニケーション可能なデバイスはラップトップコンピュータであることを特徴とする請求項第３４項記載のコミュニケーション可能なデバイス。
【請求項３７】
該携帯型コミュニケーション可能なデバイスは個人用デジタルアシスタンスであることを特徴とする請求項第３４項記載のコミュニケーション可能なデバイス。
【請求項３８】
図2又は図４のいずれかを参照し、これ以前に記載された内容の半導体チップ。
【請求項３９】
図５又は図７のいずれかを参照し、これ以前に記載された内容のコミュニケーション可能なデバイス。
【発明の詳細な説明】
【技術分野】
【０００１】
本発明の半導体チップは、テキスト音声変換システム（TTS）を含む半導体チップおよび当該半導体チップからなるコミュニケーション可能な装置に関する。本発明は、特に、TTS  システムで用いられるであろう１以上の音声パラメータを有するシステムを持つ半導体チップに関する。更には、本発明は、TTS  システムにより出力される能動的音声パラメータセットとして、使用者が音声パラメータを選択する方法に関する。
【背景技術】
【０００２】
公知資料では、コミュニケーション可能な装置、特に携帯電話にあっては、使用者は、個人的に携帯電話に着信音を設定することが知られている。
【０００３】
携帯電話が売られる前にいくつかの種類の着信音があらかじめ携帯電話に設定されている。あるいは、使用者は、有線ないし無線の方法で着信音プロバイダから着信音を得ることもある。使用者はインターネットを介してウェブページから着信音をダウンロードするか、着信音がショートメッセージサービス（SMS）テキストメッセージが設定された使用者の携帯電話に送られる。使用者は、携帯電話に電話の呼び出しがかったときに鳴らすため、すでに設定されている、あるいはダウンロードされた着信音のうちの１つを選択することができる。
【０００４】
個人的な着信音を使う事で、使用者は自分の携帯電話をカスタマイズできる。このような携帯電話の個人化によって、隣り合う２つ以上の携帯電話が同じ着信音することによって混乱が生ないようにすることができる。
【０００５】
特許文献１は、SMSメッセージに設定された着信音を使用者の携帯電話に転送する方法を開示している。受信したSMSメッセージは、IDコードによって着信音として認識される。このコードは、SMSメッセージに設定された着信音を指示するものである。このIDコードは、SMSメッセージの中で実際のメッセージが記録されるデータ領域に記録されているか、あるいはメッセージの行き先のアドレスが記録されているアドレス領域に記録されている。SMSメッセージを受信するとデータ処理ユニット（DU）は、SMSメッセージがテキストメッセージか着信音メッセージかを判定する。メッセージがテキストメッセージであれば、DUは、テキストメッセージを受信したことを報告する。SMSメッセージに当該メッセージに設定された着信音を示すIDコードが含まれていれば、DUは、SMSメッセージを着信音に変換し、それを不揮発性メモリに記録する。SMS着信音メッセージは、１つの携帯電話から、あるいはインターネットに接続したパソコンから、別のものへ、送ることができる。
【０００６】
特許文献２は、使用者によって選択された着信音をネットワークオペレータが携帯電話へダウンロードすることを許可する方法を示している。
【０００７】
着信音としてダウンロードされる音楽の楽譜は、着信音パターンと関連している。使用者は、楽譜を選択し関連する着信音パターンを携帯電話にダウンロードする。選択された着信音パターンは、様々な楽譜を表示しているウェブページから、インターネットを経由して、SMSメッセージを介して携帯電話に送られる。これが受信されると、携帯電話は、呼び出しを受けたときに当該受信した着信音パターンを使うために、スクライバ確認モジュール（SIM）カードによってプログラムされる。もし、携帯電話が２つの電話番号(N1, N2)をもっていたとした場合、使用者は, N1で呼び出しを受けた場合に使用する１つの着信音パターンをダウンロードし、N2で呼び出しを受けた場合に使用する別の着信音パターンをダウンロードすることになる。
【０００８】
使用者は、携帯電話用に異なる背景をダウンロードすることで携帯電話を個人化することも可能である。TTSシステムは、音声パラメータセットで定義された特性ある“音声”を有するオーデオ信号を出力する。一般に音声パラメータセットは、非弁別的な“音声”であるが、有名人とか漫画の主人公の声と同様な“音声”として定義される“音声”から構成される。さらに、この“音声”は、“かわいい”とか、“セクシー”とか、“怖い”とか、その他の特別な特性も有する。
【０００９】
【特許文献１】米国特許 No. 6094587 (アルマント その他)
【特許文献２】米国特許 No. 6366791 (リン その他)
【発明の開示】
【発明が解決しようとする課題】
【００１０】
テキスト音声システム（TTS）は、現在開発中であり、近いうちに携帯電話のようなコミュニケーション可能な装置に簡単に取り込まれることなるであろう。このシステムは、テキストで構成されるメッセージをオーデオメッセージに変換する。携帯電話や個人用デジタルアシスタンス（PDA）のようなコミュニケーション可能な装置においては、TTSはショートメッセージサービス（SMS）、電子メールあるいはウェブページのような受信したテキストメッセージをオーデオメッセージに変換して当該装置のスピーカを通して、伝達する。
【００１１】
TTSシステムは、音声パラメータセットで定義された特性ある“音声”を有するオーデオ信号を出力する。一般に音声パラメータセットは、非弁別的な“音声”であるが、有名人とか漫画の主人公の声と同様な“音声”として定義される“音声”から構成される。さらに、この“音声”は、“かわいい”とか、“セクシー”とか、“怖い”とか、その他の特別な特性も有する。しかしながら、従来のコミュニケーション可能な装置にあっては、“声”として能動的音声パラメータテキストを設定することによって、テキストメッセージを音声に変換し当該装置を個人化できていないという問題点を有していた。
本発明の目的は、使用者が、TTS システムで構成されたコミュニケーション可能な装置を個人化することを可能にすることにある。
【００１２】
このように、コミュニケーション可能な装置を個人化するために、本発明は、テキスト信号を出力オーデオ信号に変換するTTSシステムからなる半導体チップを提供するものである。当該出力オーデオ信号は能動音声パラメータセットで定義された特性を有する。さらに本発明は、当該TTSシステムに接続し、当該TTSシステムへ能動音声パラメータセットを提供する方法を提示する。
【００１３】
即ち、本発明の半導体チップは、使用者がコミュニケーション可能な装置を個人化することを可能にするものである。各使用者は、コミュニケーション可能な装置の“音声”を選択できるので、隣接した２つ以上の当該装置が同じ“音声”を発することを実質的に防止するものである。
【課題を解決するための手段】
【００１４】
本発明の半導体チップは、入力テキスト信号を、能動音声パラーメータセットによって定義される特性を有する出力オーデオ信号に変換するテキスト音声システム（TTS）と、該TTSシステムに接続され、該能動音声パラメータセットを該TTSシステムに提供する適用手段とからなることを特徴とする。
【００１５】
上記構成によれば、使用者は、テキストメッセージを受信したとき、コミュニケーション可能な装置の“声”として能動的音声パラメータテキストを設定することによって、当該装置を個人化することができるという効果を有する。
【００１６】
さらに本発明は、該適用手段に接続され、あらかじめ設定された第１音声パラメータセットを記録する第１メモリをさらに有してもよい。また、該能動音声パラメータセットは、該第１音声パラメータセットからなってもよい。また、該第１メモリは複数の第１音声パラメータセットを記録してもよい。
【００１７】
さらに、本発明は、適用手段に接続される第２メモリと、第２メモリに接続される取り込み手段をさらに有してもよい。また、第２音声パラメータセットが該取り込み手段に入力され、該取り込み手段は、該第２音声パラメータセットを該第２メモリに記録してもよい。
【００１８】
さらに、本発明は、該取り込み手段は、該第２音声パラメータセットが該第２メモリに記録される前に該第２音声パラメータセットをフォーマット化してもよい。また、該能動音声パラメータセットは該第２音声パラメータセットからなってもよい。
【００１９】
さらに、本発明は、該第２メモリは複数の第２音声パラメータセットを記録してもよい。また、該能動音声パラメータセットは最新に受信した第２音声パラメータセットであってもよい。又、該能動音声パラメータセットは該第１または第２音声パラメータセットの１つであってもよい。
【００２０】
さらに、本発明では、使用者は、該第１または第２音声パラメータセットの１つを該能動音声パラメータセットとして選択してもよい。また、入力テキスト信号の１つの型は該第１または第２音声パラメータセットの１つとして関連つけられ、かつ該入力テキスト信号の１つの型が該TTSシステムによって受信されたとき、該能動音声パラメータセットは該関連した音声パラメータセットから構成されてもよい。
【００２１】
さらに、本発明では、使用者は、該第１または第２音声パラメータセットの１つを該入力テキスト信号の型と関連つけてもよい。また、該入力テキスト信号の型は、ショートメッセージサービス（SMS）入力テキスト信号であってもよい。
【００２２】
さらに本発明では、該入力テキスト信号の型は、電子メール入力テキスト信号であってもよい。また、該入力テキスト信号の型は、ウェブページ入力テキスト信号であってもよい。
【００２３】
さらに本発明では、該最適手段に接続され、少なくとも１つの認識特性を記録する第３メモリをさらに有し、該該第１または第２音声パラメータセットの１つは、該認識特性に割り当てられ、該能動音声パラメータセットは、該入力テキスト信号が該認識特性を構成する際、該割付けられた音声パラメータを構成してもよい。
【００２４】
さらに本発明では、使用者は、該第１または第２音声パラメータセットの１つを該認識特性に割り付けてもよい。また、該認識特性は入力テキスト信号のアドレスであってもよい。
【００２５】
さらに本発明では、該第１または第２音声パラメータセットの１つは、該入力テキスト信号が該TTSシステムによって受信される前に、該入力テキスト信号とリンクされ、該能動音声パラメータセットは該リンクした音声パラメータセットから構成されてもよい。また、該第１または第２音声パラメータセットの１つは、該入力テキスト信号が該TTSシステムによって受信される前に、該入力テキスト信号に付随しており、該能動音声パラメータセットは該付随した音声パラメータセットから構成されてもよい。
【００２６】
さらに本発明では、第１または第２音声パラメータセットの１つは、出力テキスト信号にリンクされ、該能動音声パラメータセットは、該リンクした音声パラメータセットから構成されてもよい。また、使用者は、該該第１または第２音声パラメータセットの１つを該出力テキスト信号にリンクしてもよい。
【００２７】
さらに本発明では、該第１または第２音声パラメータセットの１つは、出力テキスト信号に付随され、該能動音声パラメータセットは、該付随した音声パラメータセットから構成されてもよい。また、使用者は、該該第１または第２音声パラメータセットの１つを該出力テキスト信号に付随させてもよい。
【００２８】
さらに本発明では、該第１、第２メモリは不揮発性メモリであってもよい。また該第１、第２メモリは１つのメモリであってもよい。また、該第２音声パラメータセットが該第２メモリから削除されてもよい。
【００２９】
さらに本発明では、本発明の半導体チップと、該TTSシステムの該入力とに接続される入力手段と、該TTSシステムの該出力に接続される出力手段とからなることを特徴とするコミュニケーション可能なデバイスであってもよい。また、該半導体チップに接続される出力テキスト手段をさらに有し、該入力テキスト信号は該出力オーデオ信号および出力テキスト信号に変換されてもよい。
【００３０】
さらに本発明では、該コミュニケーション可能なデバイスは携帯型該コミュニケーション可能なデバイスであってもよい。また、該携帯型コミュニケーション可能なデバイスは携帯型電話であってもよい。また、該携帯型コミュニケーション可能なデバイスはラップトップコンピュータであってもよい。また該携帯型コミュニケーション可能なデバイスは個人用デジタルアシスタンスであってもよい。
【発明の効果】
【００３１】
本発明では、使用者がTTS システムで構成されたコミュニケーション可能な装置を個人化することを可能できる。使用者は、テキストメッセージを受信したとき、コミュニケーション可能な装置の“声”として能動的音声パラメータテキストを設定することによって、当該装置を個人化することができる。使用者は、コミュニケーション可能な装置を購入する前にあらかじめ記録された音声パラメータセットの中から音声パラメータを選択するか、あるいは、能動パラメータセットとして使用するため、プロバイダから音声パラメータを獲得する。各使用者は、コミュニケーション可能な装置の“音声”を選択できるので、隣接した２つ以上の当該装置が同じ“音声”を発することを実質的に防止できる。
【発明を実施するための最良の形態】
【００３２】
以下、本発明の実施形態を図面に基づいて説明する。
【実施例１】
【００３３】
第１図は、本発明の第１実施例である半導体チップ１を示す。半導体チップ１は、音声スピーチシステム（TTS）３からなる。TTSシステム３は、公知の技術である方法によって入力テキスト信号５を出力オーデオ信号７に変換する。公知技術は、ウエストール、ジョンソン、およびルイス著による“テレコミュケーションにおける音声技術”（１９８８年チャップマンホール版）の１２７ページから２０７ページに記載されている。
【００３４】
出力オーデオ信号７は、能動音声パラメータセットで定義された特性を持つ“声”を有する。この能動音声パラメータセットは、TTSシステム３に接続された適用手段９によってTTSシステム３へ適用される。
【００３５】
半導体チップ１は、また適用手段９に接続された第１メモリ１１から構成される。第１メモリ１１は、適用手段９によってTTSシステム３へ提供される少なくとも１つの第１音声パラメータセットを記録する。第１音声パラメータセットは、半導体チップ１が挿入されているコミュニケーション可能な装置が売られる前の任意の時期に第１メモリ１１に記録されてもよい。例えば、第１音声パラメータセットは、半導体チップ１の製造中、あるいは、コミュニケーション可能な装置内に半導体チップ１が組み込まれる過程で、記録することができる。この第１メモリ１１は、必要に応じてできるだけ多くの第１音声パラメータセットを記録してもよいが、第１メモリ１１の能力に応じて限定される。
【００３６】
第１メモリ１１に記録された第１音声パラメータのいずれかは、入力テキストメッセージが受信される際、TTSシステム３によって使用する能動音声パラメータセットとして記録されてもよい。能動音声パラメータセットは、コミュニケーション可能な装置が使用者に売られる前の任意の時期に選択されてもよいし、あるいは使用者によって設定されてもよい。能動音声パラメータセットは、入力テキスト信号５が出力オーデオ信号７に変換される際、TTSシステム３によって使用される“音声”の特性を定義する。出力オーデオ信号７は、コミュニケーション可能な装置のラウドスピーカあるいは、半導体チップ１が挿入されているコミュニケーション可能な装置に付いているイヤホーンを介して送られる。
【００３７】
設定された能動音声パラメータとして第１音声パラメータの使用者による選択は、半導体チップ１が挿入されているコミュニケーション可能な装置の入力手段で行われる。コミュニケーション可能な装置の入力手段は、半導体チップ１の適用手段９と相互接続されている。使用者は、第１音声パラメータセットのサンプルを再生でき能動音声パラメータとなる第１音声パラメータセットのいずれか1つを選択できる。第１音声パラメータセットを能動音声パラメータセットとして使用者が選択することで、前に設定した能動音声パラメータセットの上に重ね書きされる。即ち、使用者は必要なだけ何回も、能動音声パラメータを変更することができる。
【実施例２】
【００３８】
第２図は、本発明の第２の実施例の半導体チップ１を示す。ここで前と同じ構成要素には同じ番号が付けられている。本発明の第２の実施例の半導体チップ１は、本発明の第１の実施例の半導体チップ１とほぼ同一である。しかしながら、第２実施例の半導体チップ１は、適用手段９に接続した第２メモリ１３および、第２メモリに接続した取り込み手段１５からなる。
【００３９】
第１メモリ１１および第２メモリ１３で１つのメモリを構成してもよい。
【００４０】
第２メモリ１３は第２音声パラメータセットを記録する。第２メモリ１３は、いくつもの第２音声パラメータセットを記録することができ、それは第２メモリ１３の容量で限定される。第２音声パラメータセットは、取り込み手段１５に入力され、取り込み手段１５が、これらを第２メモリ１３へ記録してもよい。好ましい実施例では、第２音声パラメータセットは、第１メモリ１１に記録されている第１音声パラメータセットとは異なる音声パラメータセットを定義する。しかしながら、必要であれば、第２音声パラメータセットは、第１メモリ１１に記録されている第１音声パラメータセットと同じものとして第２メモリ１４に記録されてもよい。
【００４１】
使用者は、外部プロバイダから第２音声パラメータセットを得ることができる。例えば、使用者はインターネットを介してウェブページから第２音声パラメータセットをダウンロードできる。もし本発明の第２実施例の半導体チップ１が入っているコミュニケーション可能な装置が、例えば、電話線に接続されたラップトップコンピュータであれば、このようなことが可能である。あるいは、使用者は、無線ないし有線を使ってインターネットを介してウェブページから第２音声パラメータセットをダウンロードできる。ここで第２音声パラメータセットは、SMSメッセージが設定された半導体チップ１が入っているコミュニケーション可能な装置へ無線で送信されてもよい。外部プロバイダから第２音声パラメータセットを得ることが可能である。ここで、使用者は、第２音声パラメータセットを要求するSMSテキストメッセージをそのプロバイダへ送り、その後、プロバイダは、第２音声パラメータが設定されたSMSメッセージを使用者のもつコミュニケーション可能な装置へ送る。これらの例は、説明のためであり、これに限定されない。使用者は他のソース、例えば第２音声パラーメータセットが含まれているコミュニケーション可能な装置の使用者から第２音声パラーメータセットを受信してもよい。
【００４２】
第２音声パラメータセットが半導体チップ１の取り込み装置１５によって受信されると、これは第２メモリ１３にセーブされ、能動音声パラメータセットとして以前に記録された能動音声パラメータセットの上に重ね書きされる。
【００４３】
さらに、使用者は第１、第２メモリ１１、１３に記録された第１または第２音声パラメータセットのいずれか１つを選択してもよい。ここでこれらパラメータセットは、TTSシステム３により能動パラメータとして使用されるものである。これにより、使用者は、半導体チップ１が入ったコミュニケーション可能な装置を個人化することが可能となる。即ち、使用者は、広範なパラメータセットを選択することができ、第１メモリ１１に記録されている第１音声パラメータセットに限定されない。
【００４４】
上述したごとく、第２メモリ１３は、当該メモリの容量で規定される第２音声パラメータセットの数に限定されている。即ち、使用者は、 第２メモリ１３から第２音声パラメータセットのすべて、あるいはいずれか１つを削除できる。これにより、使用者は、もはや必要とされない音声パラメータセットを削除することが可能となり、新しい第２音声パラメータセットを入力するために第２メモリ１３のスペースをとることができる。
【００４５】
使用者は、第１メモリ１１から第１音声パラメータセットのすべて、あるいはいずれか１つを削除することもできる。しかしながら、常に第１メモリ１１には、すくなくとも１つの第１音声パラメータセットが、能動音声パラメータセットとして、記録されていなければならない。
【実施例３】
【００４６】
第３図は、本発明の第２実施例の半導体チップ１からなるコミュニケーション可能な装置１７の概略図を示す。コミュニケーション可能な装置１７は、入力手段１９および出力手段２１からなる。出力手段２１は、TTSシステム３で作られる出力オーデオ信号７を使用者が聞くことのできるラウドスピーカやイヤホーン、これらに限定されないが、このようなものである。入力手段１９は、キーパッド、これに限定されないが、このようなものである。
【００４７】
使用者によって、あるいは販売される以前に、選択された能動音声パラメータは、本発明の半導体チップ１がはいったコミュニケーション可能な装置によって受信されるすべてのテキストメッセージのための能動音声パラメータであってもよい。
【００４８】
あるいは、異なる種類の第１、第２の音声パラメータセットは、例えばSMSメッセージ、電子メール、あるいはウェブページのようなテキストメッセージの異なる種類のものに使用される能動音声パラメータとして選択される。例えば、SMSメッセージが受信されると、それは、SMSメッセージ能動パラメータセットの“音声”を有するTTSシステム３によって、出力信号７に変換される。しかしながら、電子メールを受信すると、それは、SMSメッセージの能動音声パラメータセットとは異なる電子メール能動音声パラメータセットの“音声”を有するTTSシステム３によって、出力信号７に変換される。
【００４９】
さらに、もし半導体チップ１あるいは、コミュニケーション可能な装置がアドレス帳を保持していたならば、アドレス帳内にあるすべての、あるいはそのいくつかの入力項目のための能動音声パラメータセットとして、異なる第１ないし第２音声パラメータを使用者が選択できる。例えば、アドレス帳に入力されているID番号（即ち電話番号）で指定されているコミュニケーション可能な装置からのテキストメッセージが受信されると、当該ID番号は、能動パラメータセットとして選択された第１ないし第２音声パラメータを保持しているので、当該メッセージは、選択された能動パラメータセットの“声”を有するTTSシステム３によって出力オーデオ信号７に変換される。
【００５０】
第４図はこのアドレス帳を記録している第３メモリ２３からなる半導体チップ１を示している。
【００５１】
能動パラメータセットの選択は、メッセージを受信する前におこなうことができる。あるいは、このメセージが受信後セーブされた場合、使用者はセーブされたメッセージを再生する前に当該能動音声パラメータセットを異なる音声パラメータセットに変換する。即ち、使用者は、必要に応じて多くの異なる音声パラメータセットによって、同じテキストメッセージを聞くことができる。
【００５２】
さらに、半導体チップ１が入っているコミュニケーション可能な装置は、送り手がテキストメッセージを送る前に能動音声パラメータセットとして選択された第１ないし第２音声パラメータセットを有するテキストメッセージを受信することができる。
【００５３】
TTSシステム３は、受信したテキストメッセージを出力オーデオ信号７に変換できる。この信号は、テキストメッセージが送られる前に選択された能動パラメータセットの“声”を有する。
【００５４】
テキストメッセージが送られる前に選択された当該能動音声パラメータセットは、受信側のコミュニケーション可能な装置内で選択されていた能動音声パラメータセットの上に重ね書きされる。
【００５５】
即ち、半導体チップ１が入っているコミュニケーション可能な装置は、テキストメッセージが送られる前に能動音声パラメータセットとして選択された第１ないし第２音声パラメータセットを有する当該テキストメッセージを送信することも可能となる。このような状況では、テキストメッセージが送られる前に、受信側のコミュニケーション可能な装置の第１および第２メモリ１１、１３に記録されていた第１ないし第２音声パラメータセットについて、使用者は注意を払わなくてはならない。
【００５６】
さらに、半導体チップ１が入っているコミュニケーション可能な装置は、能動音声パラメータセットとしてテキストメッセージに付加された第１ないし第２音声パラメータセットを有する当該メッセージを受信することができる。
【００５７】
TTSシステム３は、当該テキストメッセージを、当該付加された能動音声パラメータセットの“声”を有する出力オーデオ信号７に変換する。当該付加された能動音声パラメータセットは、受信側のコミュニケーション可能な装置内で選択されていた能動音声パラメータセットの上に重ね書きされる。
【００５８】
即ち、半導体チップ１が入っているコミュニケーション可能な装置では、使用者が能動音声パラメータセットとしてテキストメッセージに付加された第１ないし第２音声パラメータセットを有する当該テキストメッセージを送信することもできる。
【００５９】
音声パラメータセットは、修正された状態あるいは、されてない状態でコミュニケーション可能な装置から送信してもよい。
【００６０】
第１メモリ１１、第２メモリ１３および第３メモリ２３は不揮発性メモリであってもよい。
【００６１】
さらに、半導体チップ１が入っているコミュニケーション可能な装置では、使用者が能動音声パラメータセットとして入力テキストメッセージに付加された第１ないし第２音声パラメータセットを有する当該入力テキストメッセージを液晶のようなデスプレイ上に出力テキストメッセージとして表示する。この出力テキストメッセージは同時にオーデオ信号７として表示することができる。
【００６２】
本発明の半導体チップ１が入っているコミュニケーション可能な装置は、電子デバイスあるいは、有機ナノメカニカルプロセッサのような非電子デバイスであってもよい。
【００６３】
当該明細書や特許請求の範囲では半導体チップ１に言及しているが、本発明は、非半導体技術を基礎とした別のプロセッサを用いて実現することも可能である。
【００６４】
コミュニケーション可能な装置は、以下のような携帯型のコミュニケーション可能な装置であってもよい。即ち、第５図に示すような本発明の第１、第２、第３実施例の半導体チップ１が入った携帯電話１００、あるいは、第６図に示すような本発明の第１、第２、第３実施例の半導体チップ１が入ったラップトップコンピュータ２００、又は、第７図に示すような本発明の第１、第２、第３実施例の半導体チップ１が入った個人デジタルアシスタンス３００であってもよい。
【００６５】
上述した内容は例示として示したに過ぎず、本発明の範疇から離脱することなく当該分野の技術者が修正を加えることは望ましいことである。
【産業上の利用可能性】
【００６６】
本発明は、テキスト音声変換システム（TTS）を含む半導体チップおよび当該半導体チップからなるコミュニケーション可能な装置において利用することが可能である。
【図面の簡単な説明】
【００６７】
【図１】本発明の第１実施例である半導体チップを示す図。
【図２】本発明の第２実施例である半導体チップを示す図。
【図３】本発明の第２実施例の半導体チップからなるコミュニケーション可能な装置を示す図。
【図４】本発明の第３実施例である半導体チップを示す図。
【図５】本発明の半導体チップからなる携帯電話を示す図。
【図６】本発明の半導体チップからなるラップトップコンピュータを示す図。
【図７】本発明の半導体チップからなる個人用デジタルアシスタンスを示す図。
【符号の説明】
【００６８】
１・・・半導体チップ、３・・・テキスト音声変換システム、５・・・入力テキスト信号、７・・・出力オ―デオ信号、９・・・適用手段、１１・・・第１メモリ、１３・・・第２メモリ、１５・・・取り込み手段、１７・・・コミュニケーション可能な装置、１９・・・入力手段、２１・・・出力手段、２３・・・第３メモリ。
【図１】
2007504519.tif 000003
【図２】
2007504519.tif 000004
【図３】
2007504519.tif 000005
【図４】
2007504519.tif 000006
【図５】
2007504519.tif 000007
【図６】
2007504519.tif 000008
【図７】
2007504519.tif 000009
【国際調査報告】
2007504519.tif 000010
2007504519.tif 000011
2007504519.tif 000012